(57)【要約】【課題】安定性・信頼性に優れた三端子型の抵抗器を提供する。【解決手段】第１の抵抗器２１と第２の抵抗器２２と、該第１および第２の抵抗器を連結した中間端子２３を備え、該中間端子は、前記第１および第２の抵抗器を、それぞれ軸方向に直線状に把持する第１の把持部２３ａと第２の把持部２３ｂを備え、前記第１および第２の抵抗器は、前記第１の把持部と第２の把持部の間に、間隔Ｓを開けて把持された。【選択図】図１
2019036673.tif 000002
【特許請求の範囲】
【請求項１】
第１の抵抗器と第２の抵抗器と、該第１および第２の抵抗器を連結した中間端子を備え、
該中間端子は、前記第１および第２の抵抗器を、それぞれ軸方向に直線状に把持する第１の把持部と第２の把持部を備え、
前記第１および第２の抵抗器は、前記第１の把持部と第２の把持部の間に、間隔を開けて把持された、三端子型の抵抗器。
【請求項２】
前記間隔は、スリットにより形成された、請求項１に記載の三端子型の抵抗器。
【請求項３】
前記中間端子は、前記第１の把持部と第２の把持部から延長した接続部を備える、請求項１に記載の三端子型の抵抗器。
【請求項４】
前記中間端子は、薄い単一の板状金属からなる、請求項１に記載の三端子型の抵抗器。
【発明の詳細な説明】
【技術分野】
【０００１】
本発明は、抵抗器に係り、特に、抵抗器両端の端子に加え、中央に中間端子を備えた三端子型の抵抗器に関する。
【背景技術】
【０００２】
従来から、ガラス芯やセラミック芯に巻線を施した巻線抵抗器やセラミック芯に酸化金属皮膜抵抗体を配置した酸化金属皮膜抵抗器を、セメントケース等に封入した上記三端子型の抵抗器が知られている。係る抵抗器によれば、難燃性で、大電力容量が得られ、特に耐パルス／突入電流防止機能に優れ、例えばコンデンサのバランス抵抗器等の用途に好適な抵抗器が得られる。
【０００３】
係る従来の三端子型の抵抗器の一例を図５に示す。一本の芯材１１に、巻線１２を巻回し、両端に端子１３，１４を設けると共に、端子１３，１４の中央に中間端子１５を設けたものである。
【０００４】
なお、一本の芯材を二本の芯材に分け、それらを突き合わせて配置し、二本の芯材に別個に巻線を配置し、別個の抵抗値が得られるようにしたものもある。また、二本のキャップ付き巻線抵抗器のキャップ端面を突き合わせて溶接し、キャップに端子を固定した三端子型の抵抗器も知られている（特許文献１参照）。
【先行技術文献】
【特許文献】
【０００５】
【特許文献１】特開昭４９−７８１５４号公報
【特許文献２】特開２０１０−２１２４８３号公報
【発明の概要】
【発明が解決しようとする課題】
【０００６】
上記従来の比較的軸方向長さが長い三端子型の抵抗器においては、熱膨張・収縮の程度が当該抵抗器の軸方向に沿って異なり、長期の使用によって抵抗器の安定性・信頼性に問題が生じるという課題が存在した。
【０００７】
本発明は、上述の事情に基づいてなされたもので、安定性・信頼性に優れた三端子型の抵抗器を提供することを目的とする。
【課題を解決するための手段】
【０００８】
本発明の三端子型の抵抗器は、第１の抵抗器と第２の抵抗器と、該第１および第２の抵抗器を連結した中間端子を備え、該中間端子は、前記第１および第２の抵抗器を、それぞれ軸方向に直線状に把持する第１の把持部と第２の把持部を備え、前記第１および第２の抵抗器は、前記第１の把持部と第２の把持部の間に、間隔を開けて把持されたことを特徴とする。前記間隔は、スリットにより形成されたものであることが好ましい。
【０００９】
本発明によれば、三端子型の抵抗器を構成する第１の抵抗器と第２の抵抗器との把持部の間に、第１の抵抗器と第２の抵抗器とが間隔を開けて把持されたので、第１の抵抗器と第２の抵抗器とが互いに独立している。これにより、比較的軸方向長さが長い三端子型の抵抗器において、熱膨張・収縮の程度が当該抵抗器の軸方向に沿って異なる場合でも、第１の抵抗器と第２の抵抗器とが独立に熱膨張・収縮することができる。従って、長期の使用によって抵抗器の安定性・信頼性に問題が生じるという課題が解決され、安定性・信頼性に優れた三端子型の抵抗器を提供することが可能となる。
【図面の簡単な説明】
【００１０】
【図１】本発明の一実施例の三端子型の抵抗器の正面図である。
【図２】中間端子の一構造例を示す（ａ）は正面図であり、（ｂ）は側面図である。
【図３】本発明の他の実施例の三端子型の抵抗器の（ａ）は正面図であり、（ｂ）はＡＡ’線に沿った断面図であり、（ｃ）はＢＢ’線に沿った断面図である。
【図４】端子の他の構造例を示す側面図であり、（ａ）は把持部と接続部の間に段差を設けた例であり、（ｂ）は把持部と接続部の間にねじれを設けた例である。
【図５】従来の三端子型の抵抗器の正面図である。
【発明を実施するための形態】
【００１１】
以下、本発明の実施形態について、図１ないし図４を参照して説明する。なお、各図中、同一または相当する部材または要素には、同一の符号を付して説明する。
【００１２】
図１は本発明の一実施例の三端子型の抵抗器を示し、図２は中間端子の構造例を示す。図１に示すように、本発明の抵抗器は、第１の抵抗器２１と第２の抵抗器２２と、該第１および第２の抵抗器を連結した中間端子２３を備える。第１の抵抗器２１と第２の抵抗器２２には、例えばガラス芯やセラミック芯に巻線を施した巻線抵抗器、或いはセラミック芯に酸化金属皮膜を配置した酸化金属皮膜抵抗器等が用いられる。
【００１３】
第１の抵抗器２１と第２の抵抗器２２の中間端子２３の反対側の端部は、端子２４および端子２５にそれぞれ連結されていて、全体として、三端子型の抵抗器が構成されている。そして、当該抵抗器はセメント容器等に封じされ、難燃性で、大電力容量が得られ、特に耐パルス／突入電流防止機能に優れた抵抗器として用いられる。
【００１４】
中間端子２３は、第１の抵抗器２１および第２の抵抗器２２を、それぞれ軸方向に直線状に把持する第１の把持部２３ａと第２の把持部２３ｂを備え、第１および第２の抵抗器２１，２２は、第１の把持部２３ａと第２の把持部２３ｂの間に、間隔Ｓを開けて把持されている。この実施例では、中間端子２３は、第１の把持部２３ａと第２の把持部２３ｂの間に、スリットＳを備え、前記間隔ＳはスリットＳにより形成されている。
【００１５】
中間端子２３は、第１の把持部２３ａと第２の把持部２３ｂから延長した共通の接続部２３ｃを備える。そして、端子２４，２５も第１の抵抗器２１と第２の抵抗器２２の中間端子２３の反対側の端部を把持する把持部２４ａ，２５ｂと、該把持部から延長した接続部２４ｃ，２５ｃを備える。接続部２３ｃ、２４ｃ、２５ｃが実装時に回路に接続されて使用される。
【００１６】
係る三端子型の抵抗器によれば、三端子型の抵抗器を構成する第１の抵抗器２１と第２の抵抗器２２の中間端子２３の把持部２３ａ，２３ｂの間に、第１の抵抗器と第２の抵抗器とが中間端子２３により間隔（スリットＳ）を開けて把持されたので、第１の抵抗器２１と第２の抵抗器２２とが互いに独立している。
【００１７】
よって、セメントケースの熱膨張や熱収縮に対して、三端子型の抵抗器の安定性・信頼性を高めることができる。例えば、第１の抵抗器２１が発熱により膨張し、第２の抵抗器２２が発熱せず、収縮したままの場合では、把持部２３ａ，２３ｂの間に、間隔を開けて第１の抵抗器２１と第２の抵抗器２２が把持されたことで、第１の抵抗器２１の熱膨張が第２の抵抗器２２に影響を及ぼさない。
【００１８】
これにより、比較的軸方向長さが長い三端子型の抵抗器において、熱膨張・収縮の程度が当該抵抗器の軸方向に沿って異なる場合でも、第１の抵抗器と第２の抵抗器とが独立に熱膨張・収縮することができる。従って、長期の使用によって抵抗器の安定性・信頼性に問題が従来生じていたが、把持部２３ａ，２３ｂの間に、間隔を開けて第１の抵抗器２１と第２の抵抗器２２が把持されたことで、係る問題が解決される。
【００１９】
なお、三端子型の抵抗器の中央にスリットＳを配置することで、セメント容器に装着する際に、第１の抵抗器２１と第２の抵抗器２２をバランス良く装着できる。すなわち、セメント容器の中央に仕切り板を設け、該仕切り板にスリットＳを奥迄嵌合することで、三端子型の抵抗器をセメントケースに容易にバランス良く装着できる。
【００２０】
中間端子２３は、薄い単一の板状金属、例えば、ＦｅやＣｕなどの金属の母材に金属皮膜（例えばＳｎめっき）を形成したものからなる。本実施例では、金属板の厚さは、０．５ｍｍ程度が適当である。抵抗器２１，２２の軸方向端部を把持するリング状の把持部２３ａ，２３ｂの内径は、例えば直径４．０ｍｍの抵抗器を把持する場合は、嵌め込みが可能で、且つ永続的に直径４．０ｍｍの抵抗器を把持できるバネ力が得られる寸法に設定される。
【００２１】
例えば直径４．０ｍｍの抵抗器を把持するリング状の把持部２３ａ，２３ｂの軸方向長さは、３．５ｍｍ程度が適当である。リング状の把持部２３ａ，２３ｂ間の間隔、すなわち、スリットＳの軸方向長さは１ｍｍ程度が適当であり、スリットＳの深さは７ｍｍ程度が適当である。これにより、軸方向に熱膨張・収縮を繰り返す抵抗器の熱膨張・収縮を金属板の弾性で吸収し、２個の抵抗器２１，２２が間隔を開けて、互いに干渉することなく把持される。
【００２２】
また、中間端子２３は、リング状の把持部２３ａ，２３ｂから延長した接続部２３ｃを備えるが、把持部２３ａ，２３ｂから接続部２３ｃ迄の距離、すなわち、中間端子２３の高さは、装着するセメント容器等の仕様等に対応して決めるべきものである。
【００２３】
図３は、本発明の他の実施例の三端子型の抵抗器を示す。この実施例では、中間端子２３および端子２４，２５は、図３（ｂ）（ｃ）に示すようなプレス加工等によるエンボスＯを形成したものである。これにより、中間端子２３および端子２４，２５は、曲げ応力に対して強度が向上する。
【００２４】
図４は、図２に示す中間端子２３および端子２４，２５の変形例を示す。（ａ）は、中間端子および端子の途中で段差を形成した例である。（ｂ）は、中間端子および端子の途中で、接続部２３ｃ、２４ｃ、２５ｃを９０°ねじるねじれを形成した例である。これらの加工を、様々な実装形態に対応して、適宜採用することが可能である。
【００２５】
これまで本発明の一実施形態について説明したが、本発明は上述の実施形態に限定されず、その技術的思想の範囲内において種々異なる形態にて実施されてよいことは言うまでもない。
【産業上の利用可能性】
【００２６】
本発明は、セメント抵抗器等に用いられる、抵抗器両端の端子に加え、中央に中間端子を備えた三端子型の抵抗器に好適に利用可能である。
【図１】
2019036673.tif 000003
【図２】
2019036673.tif 000004
【図３】
2019036673.tif 000005
【図４】
2019036673.tif 000006
【図５】
2019036673.tif 000007